(57)【要約】【課題】本発明はマット相互の連結具に干渉することなく、マットを縦中心線上又は横中心線上において、又はこれと並行な線上において容易に切断し、二分割マット又は四分割マットを容易に得ることができる施工面覆工用マット相互の連結構造を提供する。【解決手段】方形の施工面覆工用マット１の角部形成辺３′，４′間に延在する連結条材５を有し、該連結条材５の各端に第一、第二連結継手６，７を設け、該第一連結継手６を上記角部形成辺３′に配置すると共に、該第二連結継手７を上記角部形成辺４′に配置し、上記連結条材５と上記第一、第二連結継手６，７により形成される連結具５を上記施工面覆工用マット１の横中心線Ｃ２と縦中心線Ｃ１で区画される方形区画領域内に配置し、第一、第二連結継手６，７を以って隣接する施工面覆工用マット１との連結を図る構成とした施工面覆工用マット相互の連結構造。【選択図】図１
2011006998.tif 000002
【特許請求の範囲】
【請求項１】
方形の施工面覆工用マットの角部を形成する二辺間に延在する連結条材を有し、該連結条材の一端に第一連結継手を設けると共に、同連結条材の他端に第二連結継手を設け、該第一連結継手を上記角部を形成する一方の辺に配置すると共に、該第二連結継手を上記角部を形成する他方の辺に配置し、上記連結条材と上記第一、第二連結継手により形成される連結具を上記施工面覆工用マットの横中心線と縦中心線で区画される方形区画領域内に配置し、第一、第二連結継手を以って隣接する施工面覆工用マットとの連結を図る構成としたことを特徴とする施工面覆工用マット相互の連結構造。
【請求項２】
上記連結条材を上記施工面覆工用マットの下面に形成した取り付け溝内に保持したことを特徴とする請求項１記載の施工面覆工用マット相互の連結構造。
【請求項３】
上記連結条材を上記施工面覆工用マットに埋設したことを特徴とする請求項１記載の施工面覆工用マット相互の連結構造。
【請求項４】
上記施工面覆工用マットが上面に互いに交差する縦方向目地溝と横方向目地溝を有し、上記連結条材が該縦方向目地溝部分と横方向目地溝部分の下層部内を同両目地溝部分に沿って鉤形に延在することを特徴とする請求項１又は２又は３記載の施工面覆工用マット相互の連結構造。
【発明の詳細な説明】
【技術分野】
【０００１】
本発明は多数枚の施工面覆工用マットを施工面に敷き並べ覆工する際の、該覆工用マット相互の連結構造に係わる。
【背景技術】
【０００２】
屋上、ベランダ、バルコニー、歩道、広場、道路脇の傾斜地、河川敷や土手等の施工面に施工面覆工用マットを多数枚敷設して施工面を覆工する際、施工面覆工用マット相互を連結する工事が不可欠となる。
【０００３】
特許文献１は上記連結手段として、連結線材を方形の施工面覆工用マットの縦中心線と横中心線上に夫々延在するように埋設し、該連結線材の両端に連結継手を一体に設け、該連結継手を方形マットの対向する二縦辺と同二横辺とに夫々露出配置し、該各連結継手を介して四辺に隣接する施工面覆工用マットとの連結を図る施工面覆工用マット相互の連結構造を提供している。
【先行技術文献】
【特許文献】
【０００４】
【特許文献１】特公平７−１００９５７号公報
【発明の概要】
【発明が解決しようとする課題】
【０００５】
多数枚の施工面覆工用マットを施工面に敷設し広面積の覆工床を形成する場合、敷設端部においては施工面覆工用マットを二分の一等に切断して施工面に敷設し、端決めする必要が生ずる。
【０００６】
特許文献１の如く、連結具を形成する連結線材を方形の施工面覆工用マットの縦中心線又は横中心線上に延在するように埋設した場合には、連結線材が互いに交差する構造となるばかりか、上記施工面覆工用マットを二分の一等に切断する場合に上記連結線材を切断せねばならず、切断に手間を要するばかりか、連結線材の切断によって両端の連結継手が分離され、マット相互の連結強度を損なう問題を有している。
【０００７】
又切断したマットの所要位置に必要な数の連結継手を具有させることが困難である。
上記問題は上記連結線材を上記縦中心線と並行に、又は横中心線と並行に配置した場合にも同様である。
【課題を解決するための手段】
【０００８】
本発明は方形の施工面覆工用マットの角部を形成する二辺間に連結条材を延在せしめ、該連結条材の一端に第一連結継手を設けると共に、同連結条材の他端に第二連結継手を設け、該第一連結継手を上記角部を形成する一方の辺に配置すると共に、該第二連結継手を上記角部を形成する他方の辺に配置し、上記連結条材と上記第一、第二連結継手により形成される連結具を上記施工面覆工用マットの横中心線と縦中心線で区画される方形区画領域内に配置し、第一、第二連結継手を以って隣接する施工面覆工用マットとの連結を図る構成とした。
【０００９】
又上記連結条材を上記施工面覆工用マットの下面に形成した取り付け溝内に保持した。
【００１０】
又上記連結条材を上記施工面覆工用マットに埋設した。
【００１１】
上記施工面覆工用マットが上面に互いに交差する縦方向目地溝と横方向目地溝を有し、上記連結条材を該縦方向目地溝部分と横方向目地溝部分の下層部内を同両目地溝部分に沿って鉤形に延在する構成にした。
【発明の効果】
【００１２】
本発明によれば、連結具の連結条材に干渉することなく、マットを縦中心線上又は横中心線上において、又はこれと並行な線上において容易に切断し、連結条材を切断せずに二分割マット又は四分割マットを得ることができる。
【００１３】
又切断した二分割マット又は四分割マット（端決めマット）の縦辺と横辺に連結継手を具有させることができ、両連結継手を連結条材で連結した構造を保つことができる。
【図面の簡単な説明】
【００１４】
【図１】本発明における連結具を施工面覆工用マットに設けた取り付け溝内に保持した例と同マットに埋設した例を示す平面図。
【図２】本発明における連結具を施工面覆工用マットに設けた取り付け溝内に保持した例を示す下面図。
【図３】上記取り付け溝を示す施工面覆工用マットの下面図。
【図４】上記連結具を施工面覆工用マットに設けた取り付け溝内に保持した例を示す断面図。
【図５】上記連結具を施工面覆工用マットに埋設した例を示す断面図。
【図６】上記図４における連結具を施工面覆工用マットに設けた取り付け溝内に保持した部分を拡大視する断面図。
【図７】上記図５における連結具を施工面覆工用マットに埋設した部分を拡大視する断面図。
【図８】Ａは上記連結具を例示する斜視図、Ｂは同平面図、Ｃは同側面図。
【図９】Ａは上記連結具を用いて施工面覆工用マット相互を連結した状態を示す平面図、Ｂは該連結部を構成する連結リングとピンとの関係を示す斜視図。
【図１０】上記連結具の他の配置例を示す図。
【図１１】上記連結具の更に他の配置例を示す図。
【図１２】Ａは分割マットの平面図、Ｂは施工面に施工面覆工用マットを多数敷設し分割マットで端決めした状態を例示する平面図。
【発明を実施するための形態】
【００１５】
以下本発明を実施するための形態を図１乃至図１２に基づき説明する。
【００１６】
本発明は図１，図２に示すセメント硬化材により成形したマット、又はゴムチップを接着剤を介して凝集し成形したマット等から成る方形の施工面覆工用マット１を、屋上、ベランダ、バルコニー、歩道、広場、道路脇の傾斜地、河川敷や土手等の施工面に敷き並べ覆工する際の、該覆工用マット１相互の連結構造に係わる。
【００１７】
本発明は上記連結手段として、図１乃至図７に示すように、連結条材５を上記方形の施工面覆工用マット１の角部２を形成する二辺３，４間に延在せしめ、該連結条材５の一端に第一連結継手６を設けると共に、同連結条材５の他端に第二連結継手７を設け、上記連結条材５と上記第一、第二連結継手６，７により形成される連結具８を上記覆工用マット１の縦中心線Ｃ１と横中心線Ｃ２で区画される方形区画領域内に配置し、該第一連結継手６を上記角部２を形成する一方の辺（上記方形区画領域の一方の辺）３′に露出配置すると共に、該第二連結継手７を上記角部２を形成する他方の辺（上記方形区画領域の他方の辺）４′に露出配置し、第一、第二連結継手６，７を以って隣接する覆工用マット１との連結を図るようにしたものである。
【００１８】
上記連結条材５と第一，第二連結継手６，７から成る連結具８は、合成樹脂や金属等から成る一体構造にする。又線材や帯材や編組ロープ等の適用が可能である。
【００１９】
図１乃至図３，図４，図６に示すように、上記連結条材５を上記覆工用マット１の下面に形成した取り付け溝９内に着脱可に嵌め入れて、例えば圧入嵌めして連結具８をマット１と一体に保持せしめる。又は取り付け溝９内に嵌め入れ接着材を介して連結具８をマット１と一体に保持せしめる。
【００２０】
上記連結条材５両端の連結継手６，７をマット１の角部２を形成する二辺３，４、即ち上記方形区画領域を形成する二辺３′，４′に夫々露出配置する。
【００２１】
連結条材５を取り付け溝９内に着脱可に保持した場合には、マット１と連結具５を容易に分離でき、夫々を分別処分することができる。
【００２２】
又は図１，図５，図７に示すように、上記連結条材５を上記覆工用マット１に埋設し、該連結条材５両端の連結継手６，７をマット１の角部２を形成する二辺３，４、即ち上記方形区画領域を形成する二辺３′，４′に夫々露出配置する。
【００２３】
本発明はマット１の上面に縦方向目地溝１０又は／及び横方向目地溝１１を有する目地付きマット１、又は該目地溝１０，１１を有しないマット１、又はマットの上面に多数のタイル等を貼付したマット１等に実施できる。
【００２４】
図１，図２は、上面に互いに交差する縦方向目地溝１０と横方向目地溝１１を有するセメント硬化材により成形した施工面覆工用マット１、又は古タイヤ等の粒状粉砕物から成るゴムチップを接着材を介し凝集し成形した施工面覆工用マット１を代表例として示している。
【００２５】
上記目地付きマット１に本発明を実施する場合、一例として図８に示すように、上記連結条材５を略直角に曲成された鉤形形状にし、該鉤形連結条材５の一端に第一連結継手６を、他端に第二連結継手７を夫々連設し、他方、取り付け溝９を略直角に曲成された鉤形形状にし、該鉤形連結条材５の縦方向連結条材部分５ａを前記方形区画領域内に存する縦方向取り付け溝部分９ａ内に保持し、横方向連結条材部分５ｂを前記方形区画領域内に存する横方向取り付け溝部分９ｂ内に保持して一体に組み付け、両取り付け溝部分９ａ，９ｂ内に鉤形に延在せしめる。
【００２６】
換言すると、上記連結条材５の縦方向連結条材部分５ａを縦方向目地溝部分１０ａの直下の下層部に沿って配置し、同横方向連結条材部分５ｂを横方向目地溝部分１１ａの直下の下層部に沿って配置し、鉤形に延在する構成にすることができる。
【００２７】
上記の通り、上記目地付きマット１の目地溝１０，１１と取り付け溝９と連結条材５とは互いに上下に対応した形状にして配置することができる。
【００２８】
一具体例として、上記覆工用マット１を縦辺３と横辺４が略等長の正方形にし、その上面の縦中心線Ｃ１と横中心線Ｃ２上に縦方向目地溝１０と横方向目地溝１１を配し、中心線Ｃ１，Ｃ２に従ってマット１を直線の分割線を以って分割できるようにし、該中心線Ｃ１，Ｃ２と略並行に他の縦方向目地溝１０と横方向目地溝１１を配する。
【００２９】
他方、上記鉤形連結条材５の縦方向連結条材部分５ａと横方向連結条材部分５ｂを互いに等長にする。
【００３０】
そして、上記連結条材５を上記縦中心線Ｃ１と横中心線Ｃ２上の縦方向目地溝１０と横方向目地溝１１から外れた他の目地溝１０，１１と対応して上記取り付け溝９を設け、該取り付け溝９内に該鉤形連結条材５の縦方向連結条材部分５ａと横方向連結条材部分５ｂを圧入し一体に組み付ける。又は接着材を介して取り付け溝９内に取り付ける。
【００３１】
上記取り付け溝９を略直角に曲成した形状にした場合には、連結条材５を略直角に曲成した形状にし、該連結条材５の縦方向連結条材部分５ａと横方向連結条材部分５ｂを目地溝１０，１１と対応して設けた取り付け溝９内に圧入し一体に組み付ける。
【００３２】
上記連結具８をマット１の下面に形成した取り付け溝９に容易には脱落しないように取り付ける手段として、連結具８に圧入手段を設けることができる。上記連結具８の連結条材５を鉤形に形成した場合には、縦方向連結条材部分５ａと横方向連結条材部分５ｂの双方に上記圧入手段を設けることが好ましい。
【００３３】
図８は上記圧入手段の具体例を示している。図示のように連結条材５の延在長の途中に単数又は複数の円形や角形等の圧入部１２を一体に設ける。他方、取り付け溝９の延在長の途中に圧入部１２に対応する形状の圧入孔１３を設け、該圧入孔１３に圧入部１２を圧入し、一体に組み付ける。
【００３４】
又連結具８の連結条材５を鉤形に形成した場合には、縦方向連結条材部分５ａと横方向連結条材部分５ｂの連設角部に円形や角形から成るリング１４を設け、該リング１４を取り付け溝９の角部に形成した孔１５に圧入又は緩嵌合する。
【００３５】
本発明における連結具８は基本的に連結条材５を上記方形の施工面覆工用マット１の角部２を形成する二辺３，４間に延在せしめ、該連結条材５の一端に第一連結継手６を設けると共に、同連結条材５の他端に第二連結継手７を設け、該第一連結継手６を上記角部２を形成する一方の辺３（方形区画領域の一方の辺３′）に配置すると共に、該第二連結継手７を上記角部２を形成する他方の辺４（方形区画領域の他方の辺４′）に配置し、上記連結条材５と上記第一、第二連結継手６，７により形成される連結具８を上記覆工用マット１の縦中心線Ｃ１と横中心線Ｃ２で区画される方形区画領域内に配置し、第一、第二連結継手６，７を以って隣接する覆工用マット１との連結を図るようにしたものであり、上記連結具８を上記方形区画領域内に鉤形に配置する他、図１０、図１１に示すように、マット１の角部２を形成する二辺３，４間（方形区画領域の二辺３′，４′間）に曲線又は直線状に組み付けするか、又は埋設することができる。
【００３６】
前記した圧入部１２やリング１４は必要に応じて設けられ、基本的には連結条材５と連結継手６，７を有する連結具８の構造を必須とする。
【００３７】
上記第一、第二連結継手６，７の具体例として、これを連結リングにて一体に形成し、隣接する覆工用マット１との連結に供する。
【００３８】
好ましい例示として図９に示すように、覆工用マット１の角部２を形成する二辺３，４（方形区画領域の辺３′，４′）に上下及び側方に開放せる半円の凹欠部１６を設け、該凹欠部１６内に連結リングの半分を収容し、他の半分を側方へ突出し、覆工用マット１相互の側面が近接又は当接して並べられた時に、連結リングの突出した部分が互いに相手方の凹欠部１６に収容され、隣接する連結リングが隣接する凹欠部１６，１６の合致により形成された穴内において略重なり合う状態を形成できるようにする。この重ね合わせられた連結リング相互を連結線材にて連結するか、重ね合わされた連結リングの孔内に螺子等のピン１７等を圧入して連結し、隣接する施工面覆工用マット１相互を連結する。
【００３９】
図１２に示すように、連結具８の連結条材５に干渉することなく、マット１を縦中心線Ｃ１上又は横中心線Ｃ２上において、又はこれと並行な線上において容易に切断し、二分割マット又は四分割マットに分割した分割マット１′を得ることができ、切断した二分割マット又は四分割マット（端決めマット）１′の縦辺３′と横辺４′に連結継手６，７を具有させることができ、両連結継手６，７を連結条材５で連結した構造を保つことができる。
【００４０】
本発明は連結具８を正方形等の方形の施工面覆工用マット１における二本の対角線上の四つの角部２、即ち該四つの角部２を形成する方形区画領域に配置することができ、又は一方の対角線上に存する二つの角部２、即ち二つの角部を形成する方形区画領域に配置することができ、何れの実施例も包含するものである。
【符号の説明】
【００４１】
１…施工面覆工用マット、１′…分割マット、２…施工面覆工用マットの角部、３…該角部を形成する一方の辺、４…同他方の辺、３′…方形区画領域の一方の辺、４′…同他方の辺、５…連結条材、５ａ…縦方向連結条材部分、５ｂ…横方向連結条材部分、６…第一連結継手、７…第二連結継手、８…連結具、９…取り付け溝、９ａ，９ｂ…取り付け溝部分、１０…縦方向目地溝、１０ａ…縦方向目地溝部分、１１…横方向目地溝、１１ａ…横方向目地溝部分、１２…圧入部、１３…圧入孔、１４…リング、１５…孔、１６…凹欠部、１７…ピン、Ｃ１…縦中心線、Ｃ２…横中心線。
【図１】
2011006998.tif 000003
【図２】
2011006998.tif 000004
【図３】
2011006998.tif 000005
【図４】
2011006998.tif 000006
【図５】
2011006998.tif 000007
【図６】
2011006998.tif 000008
【図７】
2011006998.tif 000009
【図８】
2011006998.tif 000010
【図９】
2011006998.tif 000011
【図１０】
2011006998.tif 000012
【図１１】
2011006998.tif 000013
【図１２】
2011006998.tif 000014